(57)【特許請求の範囲】
【請求項１】
ＬＥＤの光を入射させる下面と、当該下面から入射された光を反射する当該下面に対向して配置された斜面とが端部に設けられた平板状のＬＥＤ光源用導光板であって、
前記斜面は、前記ＬＥＤに向かう凸面状を成し、
当該凸面は、前記下面から入射された光の主たる反射方向に切った断面、及び当該断面と直交する方向に切った断面において、それぞれ曲率を有することを特徴とするＬＥＤ光源用導光板。
【請求項２】
前記凸面は、前記下面から入射された光の主たる反射方向に切った断面における曲率が、当該断面と直交する方向に切った断面における曲率よりも小さいことを特徴とする請求項１に記載のＬＥＤ光源用導光板。
【請求項３】
前記下面、及び前記斜面は、前記ＬＥＤ光源用導光板の角部に設けられていることを特徴とする請求項１、又は２に記載のＬＥＤ光源用導光板。
【請求項４】
請求項１〜３の何れか一つに記載のＬＥＤ光源用導光板の前記下面に対向してＬＥＤを配置して成ることを特徴とする面状光源。
【請求項５】
前記ＬＥＤは、多色ＬＥＤであることを特徴とする請求項４に記載の面状光源。
【発明の詳細な説明】
【０００１】
【発明の属する技術分野】
本発明はＬＥＤ光源用導光板及び面状光源に関するものである。
【０００２】
【従来の技術】
液晶表示装置は薄型で軽量化できる表示装置として多用されている。液晶表示装置は受光型の表示装置であるため、光のない環境下でも使用できるようにバックライトまたはフロントライトと組み合わせて使用されている。以下バックライトを例に説明するが、フロントライトでも同じように適用できるものである。
【０００３】
バックライトには液晶表示装置の下面に光源を配置する直下型方式と平板状導光板（以下単に導光板と言う）の側面または周縁部から導光板に光を導入して導光板内で光を拡散させ液晶表示装置に面光源として光を供給するエッジライト方式が主流である。特にエッジライト方式はバックライトを使用した液晶表示装置としての薄型化が可能なため多用されている。
【０００４】
光源としては冷陰極管が使用されていたが、光源に対して高輝度、低電力、小型化、長寿命化が要望され、発光ダイオード（以下ＬＥＤと言う）が用いられてきている。図１、図２は特開平１１−３０６８３１号公報で開示された技術であり、ＬＥＤを導光板の角側面に配置した面状光源の斜視図である。コーナー部Ａ、ＢにＬＥＤ２の発光面を導光板１の方に向けて配置する構造であり、図１ではＬＥＤ２を一つ、図２ではＬＥＤ２を二つ使用している。
【０００５】
図３は従来技術による導光板の斜視図である。導光板４の一端部に導光部５ａを有する肉厚部５を形成し、導光部５ａの下部に配置したＬＥＤ（不図示）からの光を導光し、導光した光を導光板端部に形成された曲面５ｂで反射して導光板４内に光を入射するものである。導光部５ａの上部曲面５ｂには光拡散のために表面を粗面にするためのブラスト処理をしている。
【０００６】
【発明が解決しようとする課題】
図１、図２に示す方式の面状光源は少ない光源数で均一な面光源が実現でき、単色ＬＥＤでは使用可能であるが、多色ＬＥＤで使用すると混色性が悪く、複数の光を希望の光に混色することができない。また、導光板は少なくともＬＥＤの高さより厚いことが必要であり、薄型化には適さない。
【０００７】
図３に示す方式の面状光源は輝度が高く均一な面状光源を得られるが、ブラスト部での反射効率が低く、輝度を上げるためにはＬＥＤを多数必要とし消費電力が高くなる。また、多色ＬＥＤで使用すると混色性が悪い。本発明の目的は、光拡散性を向上し、輝度を向上し、混色性の良いＬＥＤ光源用導光板とそれを使用した面状光源を得ることにある。
【０００８】
【課題を解決するための手段】
【０００９】
ＬＥＤの光を入射させる下面と、当該下面から入射された光を反射する当該下面に対向して配置された斜面とが端部に設けられた平板状のＬＥＤ光源用導光板であって、前記斜面は、前記ＬＥＤに向かう凸面状を成し、当該凸面は、前記下面から入射された光の主たる反射方向に切った断面、及び当該断面と直交する方向に切った断面において、それぞれ曲率を有するＬＥＤ光源用導光板とする。
【００１０】
前記凸面は、前記下面から入射された光の主たる反射方向に切った断面における曲率が、当該断面と直交する方向に切った断面における曲率よりも小さいＬＥＤ光源用導光板とされ得る。
【００１１】
前記下面、及び前記斜面は、前記ＬＥＤ光源用導光板の角部に設ＬＥＤ光源用導光板とされ得る。
【００１２】
以上のＬＥＤ光源用導光板の前記下面に対向してＬＥＤを配置して成る面状光源とする。
【００１３】
前記ＬＥＤは、多色ＬＥＤである面状光源とされ得る。
【００１４】
【発明の実施の形態】
図４は本発明の導光板の一実施形態を示す図であり、（Ａ）は上面図、（Ｂ）は正面図、（Ｃ）はＸ−Ｘ断面図である。導光板６の角部に、ＬＥＤ光源からの光を導光し、導光した光を導光板６に拡散して入射するための導光部７が形成されている。導光部７の上面には斜面部７ａが形成されているが、斜面部７ａはＸ−Ｘ断面で示すように曲率を有する凹面状に加工されている。
【００１５】
図５は導光部の下部に３色ＬＥＤを配置した図であり、（Ａ）は上面図、（Ｂ）は正面図である。導光部７の上面は斜面部７ａであり、且つ図４（Ｃ）に示す曲率（以下、その曲率半径をＲ１という）を有しているが、さらにＸ−Ｘに直交する方向にも僅かに凹面状に曲率（以下、その曲率半径をＲ２という）を有している。導光部７の下部には図に示すような配置で３色ＬＥＤ８が配置されている。Ｂはブルー（波長は４７０ｎｍ）、ＳＯはソフトオレンジ（波長は６１５ｎｍ）、ＰＧはピュアグリーン（波長は５２５ｎｍ）で発光するＬＥＤであり、一つの素子としてチップ部品化されている。
【００１６】
ＬＥＤから出光された光は導光部７（ポリカーボネート等の光透過率の高いプラスチックで形成されている）の下面から入射し、導光部７の斜面部７ａにより全反射され、図５（Ｂ）の右方向に進み、導光板６に入射する。斜面部７ａはＲ１、Ｒ２の複合された曲面を有するため、Ｒ１により図５（Ａ）に示す矢印▲１▼方向に拡散される。Ｒ１は導光部７から導光板６への拡散の広さに応じて均一に拡散できるように決めるとよい（図４では拡散角度は約９０度であるが、他の角度もありうる）。Ｒ２は図５（Ｂ）に示す矢印▲２▼方向に拡散するための曲率半径であり、導光板６の厚み方向の拡散であるため、曲率半径は大きく直線に近い曲率である。導光部７から導光板６の遠い部分まで光が到達し易い拡散を得る曲率にするとよい。すなわちＲ１≪Ｒ２となっている。
【００１７】
具体的な例として、図４に示す導光板の外形を３１ｍｍ×２４ｍｍ×１ｍｍのとき、Ｒ１＝１０ｍｍ、Ｒ２＝２００ｍｍで混色性の良い、輝度の高い、拡散性の良い（斑のない）面状光源が得られている。
【００１８】
【発明の効果】
導光部反射面を凹面状（Ｒ１とＲ２の組み合せ）にすることにより、水平方向と垂直方向に光を拡散することができるので、光が上下左右に拡散され多色ＬＥＤを使用しても混色性が良く、希望の色を混色することができる。
【００１９】
反射面の曲率形状で拡散ができるので、反射面を鏡面仕上げにすることが可能となり（反射面に形成した粗面（ブラスト面等）で拡散する必要がないため）、入射光を全反射により導光板に入光するので、光の使用効率が高くなり輝度を上げることができる。
【００２０】
ＬＥＤの大きさに影響されず、薄型の面状光源を得ることができる。
【図面の簡単な説明】
【図１】従来技術によるＬＥＤを導光板の角側面に配置した面状光源の斜視図
【図２】従来技術によるＬＥＤを導光板の角側面に配置した面状光源の斜視図
【図３】従来技術による導光板の斜視図
【図４】本発明の導光板の一実施形態を示す図であり、（Ａ）は上面図、（Ｂ）は正面図、（Ｃ）はＸ−Ｘ断面図
【図５】導光部の下部に３色ＬＥＤを配置した図であり、（Ａ）は上面図、（Ｂ）は正面図
【符号の説明】
１      導光板
２      ＬＥＤ
３      導光板
４      導光板
５      肉厚部
５ａ    導光部
５ｂ    曲面
６      導光板
７      導光部
７ａ    斜面部
８      ３色ＬＥＤ
Ａ      コーナー部
Ｂ      コーナー部
【図１】
0004241907.tif 000002
【図２】
0004241907.tif 000003
【図３】
0004241907.tif 000004
【図４】
0004241907.tif 000005
【図５】
0004241907.tif 000006